(57)【要約】【課題】本発明は、トランスコイルを有する筒状ボビンを棒状コアを有するボビンチューブに対して可動することにより、電気的中立位置を製品完成後に可変とすることを目的とする。【解決手段】本発明による差動トランス構造は、ケース(1)に固定したボビンチューブ(11)に可動式に設けた筒状ボビン(4A)にトランスコイル(4)を設け、この筒状ボビン(4A)を弾性体(15)で一方向へ付勢し、この筒状ボビン(4A)をケース(1)に螺合して設けた蓋体(16)の回転により筒状ボビン(4A)を移動させ、電気的中立位置を可変とする構成である。【選択図】図１
2010027960.tif 000002
【特許請求の範囲】
【請求項１】
ケース(1)内に設けられたボビンチューブ(11)と、前記ボビンチューブ(11)の空洞(10)内に往復直動自在に配設されプローブ(5a)及び棒状コア(9)とからなる軸体(5)と、前記ボビンチューブ(11)の外周に直動自在に設けられ一次コイル(P)及び一対の二次コイル(S1,S2)からなるトランスコイル(4)を有する筒状ボビン(4A)と、前記ボビンチューブ(11)の段部(14)と前記筒状ボビン(4A)との間に介装され前記筒状ボビン(4A)を常時一方向に付勢するための弾性体(15)と、前記ケース(1)の端部(1b)内に回転自在に設けられ前記ボビンチューブ(11)の先端(11a)を直動自在に支持するための支持凹部(22)を有する蓋体(16)と、前記蓋体(16)の突部(20)の外周に形成されたねじ部(21)と、前記ケース(1)の前記端部(1b)の開口(23)の内周に形成された内周ねじ部(24)と、を備え、
前記蓋体(16)のねじ部(21)が前記ケース(1)の前記内周ねじ部(24)に螺合し、前記蓋体(16)が前記筒状ボビン(4A)の端面(4B)と当接していることにより、前記蓋体(16)が前記ケース(1)内に回転自在に保持され、前記蓋体(16)の回転により前記筒状ボビン(4A)の軸方向位置を可変とすることを特徴とする差動トランス構造。
【請求項２】
前記弾性体(15)は、ゴム、皿バネ又はスプリングの何れかからなり、前記蓋体(16)には前記蓋体(16)を回転させるための１個又は複数の凹部(30)又は穴が形成されていることを特徴とする請求項１記載の差動トランス構造。
【請求項３】
前記ボビンチューブ(11)の段部(14)と前記筒状ボビン(4A)との間には、ピン(50)が設けられ、前記ピン(50)により前記筒状ボビン(4A)は直動のみが許容されると共に回転が止められていることを特徴とする請求項１又は２記載の差動トランス構造。
【請求項４】
前記蓋体(16)のねじ部(21)と前記内周ねじ部(24)との間には、柔軟材(40)が介装され、前記柔軟材(40)により前記蓋体(16)のゆるみ止めがなされることを特徴とする請求項１ないし３の何れかに記載の差動トランス構造。
【発明の詳細な説明】
【技術分野】
【０００１】
本発明は、差動トランス構造に関し、特に、トランスコイルを有する筒状ボビンを棒状コアを有するボビンチューブに対して可動とすることにより、電気的中立位置を製品完成後に可変とするための新規な改良に関する。
【背景技術】
【０００２】
従来、用いられていたこの種の差動トランス構造としては、例えば、特許文献１及び２に開示された構成を挙げることができるが、何れの場合も、その構成は基本的には図６で示される構成が採用されていた。
【０００３】
すなわち、図６において符号１で示されるものは円筒状のケースであり、このケース１の両端には第１、第２の端栓２，３が設けられ、このケース１の内壁１ａには、一次コイルＰ及び一対の二次コイルＳ１，Ｓ２からなるトランスコイル４を有するボビン４Ａが設けられている。
【０００４】
前記各端栓２，３間には、軸体５が矢印Ａの方向に沿って往復直動自在に設けられており、この軸体５は各端栓２，３を貫通して外方へ突出している。
前記ボビン４Ａは、前記各端栓２，３に対して充填樹脂６によって封止及び固定され、前記トランスコイル４に接続されたケーブル７又はリード線８が外方へ導出されている。
【０００５】
前記軸体５には、磁性体からなる棒状コア９が設けられ、この棒状コア９は前記トランスコイル４に対応し、この軸体５が図示しない被検出部材に接続され、前記ケース１に対して伸長Ｂ及び収縮Ｃ側へ直動するように構成されている。
【０００６】
前記トランスコイル４は、図４に示されるように結線され、前記各二次コイルＳ１，Ｓ２は中点ＣＴを介して各々接続され、出力電圧Ｖａ，Ｖｂが出力されるように構成されている。
【０００７】
前記棒状コア９が、図６で示されるように、トランスコイル４の長手方向に対して中央位置にある時は、一次コイルＰと一対の二次コイルＳ１，Ｓ２の両コイルとの磁気的結合の度合いは等しく、棒状コア９が収縮Ｃ側へ移動すると、一次コイルＰと二次コイルＳ２との磁気的結合度が強まり、逆に、一次コイルＰと二次コイルＳ１との磁気的結合度は弱まる。
【０００８】
前記磁気的結合度は、各二次コイルＳ１，Ｓ２の誘起起電力が出力電圧Ｖａ，Ｖｂで表され、この出力電圧Ｖａ，Ｖｂは、棒状コア９の変位量に比例した交流電圧となり、この棒状コアの電気的な中立位置Ｄは、図５に示されるように、出力電圧Ｖａ，ＶｂがＶａ＝Ｖｂで０Ｖとなる位置で、製品（ＬＶＤＴ）を出荷する時は、この電気的な中立位置Ｄとなるように、ボビン４Ａと棒状コア９の相対位置を固定して構成されていた。
【０００９】
【特許文献１】特開２０００−７４６０７号公報
【特許文献２】特開平１０−３１１７３７号公報
【発明の開示】
【発明が解決しようとする課題】
【００１０】
従来の差動トランス構造は、以上のように構成されているため、次のような課題が存在していた。
すなわち、製品出荷時には、棒状コアとトランスコイルとの相対関係が、機械的に固定され、電気的中立点は固定されているため、ユーザー側で製品を組み込む時に、電気的中立点を変えることはできず、装置との組合わせが難しくなることがあった。
【課題を解決するための手段】
【００１１】
本発明による差動トランス構造は、ケース内に設けられたボビンチューブと、前記ボビンチューブの空調内に往復直動自在に配設されプローブ及び棒状コアとからなる軸体と、前記ボビンチューブの外周に直動自在に設けられ一次コイル及び一対の二次コイルからなるトランスコイルを有する筒状ボビンと、前記ボビンチューブの段部と前記筒状ボビンとの間に介装され前記筒状ボビンを常時一方向に付勢するための弾性体と、前記ケースの端部内に回転自在に設けられ前記ボビンチューブの先端を直動自在に支持するための支持凹部を有する蓋体と、前記蓋体の突部の外周に形成されたねじ部と、前記ケースの前記端部の開口の内周に形成された内周ねじ部と、を備え、前記蓋体のねじ部が前記ケースの前記内周ねじ部に螺合し、前記蓋体が前記筒状ボビンの端面と当接していることにより、前記蓋体が前記ケース内に回転自在に保持され、前記蓋体の回転により前記筒状ボビンの軸方向位置を可変とする構成であり、また、前記弾性体は、ゴム、皿バネ又はスプリングの何れからなり、前記蓋体には前記蓋体を回転させるための１個又は複数の凹部又は穴が形成されている構成であり、また、前記ボビンチューブの段部と前記筒状ボビンとの間には、ピンが設けられ、前記ピンにより前記筒状ボビンは直動のみが許容されると共に回転が止められている構成であり、また、前記蓋体のねじ部と前記内周ねじ部との間には、柔軟材が介装され、前記柔軟材により前記蓋体のゆるみ止めがなされる構成である。
【発明の効果】
【００１２】
本発明による差動トランス構造は、以上のように構成されているため、次のような効果を得ることができる。
すなわち、ケース内に設けられたボビンチューブと、前記ボビンチューブの空調内に往復直動自在に配設されプローブ及び棒状コアとからなる軸体と、前記ボビンチューブの外周に直動自在に設けられ一次コイル及び一対の二次コイルからなるトランスコイルを有する筒状ボビンと、前記ボビンチューブの段部と前記筒状ボビンとの間に介装され前記筒状ボビンを常時一方向に付勢するための弾性体と、前記ケースの端部内に回転自在に設けられ前記ボビンチューブの先端を直動自在に支持するための支持凹部を有する蓋体と、前記蓋体の突部の外周に形成されたねじ部と、前記ケースの前記端部の開口の内周に形成された内周ねじ部と、を備え、前記蓋体のねじ部が前記ケースの前記内周ねじ部に螺合し、前記蓋体が前記筒状ボビンの端面と当接していることにより、前記蓋体が前記ケース内に回転自在に保持され、前記蓋体の回転により前記筒状ボビンの軸方向位置を可変とすることにより、電気的中立位置を自在に変えることができ、ユーザー側で組み込む装置の仕様に合わせて変更でき、使い勝手を大幅に向上できる。
また、前記弾性体は、ゴム、皿バネ又はスプリングの何れからなり、前記蓋体には前記蓋体を回転させるための１個又は複数の凹部又は穴が形成されていることにより、この凹部又は穴に治具を挿入して蓋体を簡単に回転させることができる。
また、前記ボビンチューブの段部と前記筒状ボビンとの間には、ピンが設けられ、前記ピンにより前記筒状ボビンは直動のみが許容されると共に回転が止められていることにより、筒状ボビンの回転が止められ、簡単に筒状ボビンを直動できる。
また、前記蓋体のねじ部と前記内周ねじ部との間には、柔軟材が介装され、前記柔軟材により前記蓋体のゆるみ止めがなされることにより、中立位置を設定後は、蓋体のゆるみがなく、高い信頼性を得ることができる。
【発明を実施するための最良の形態】
【００１３】
本発明は、トランスコイルを有する筒状ボビンを棒状コアを有するボビンチューブに対して可動とすることにより、電気的中立位置を製品完成後に可変とするようにした差動トランス構造を提供することを目的とする。
【実施例】
【００１４】
以下、図面と共に本発明による差動トランス構造の好適な実施の形態について説明する。
尚、従来例と同一又は同等部分については、同一符号を用いて説明する。
図１において符号１で示されるものは、全体形状が筒状をなすケースであり、このケース１内には、内部に閉栓型の空洞１０を有するカップ状のボビンチューブ１１が第１０リング１２を介して固定されている。
【００１５】
前記空洞１０内には、被検出部材１３に接続された軸体５が矢印Ａの方向に沿って往復直動自在にボビンチューブ１１とは非接触状態で設けられており、このボビンチューブ１１の空洞１０の外周位置には、トランスコイル４を構成するための一次コイルＰと一対の二次コイルＳ１，Ｓ２を有する筒状ボビン４Ａがこのボビンチューブ１１に対して相対移動自在に設けられている。
【００１６】
前記軸体５は、プローブ５ａと棒状コア９とから形成され、前記ボビンチューブ１１の段部１４と前記筒状ボビン４Ａとの間で前記ボビンチューブ１１の外周位置には、ゴム、皿バネ、スプリング等の何れかよりなる弾性体１５が配設され、この筒状ボビン４Ａはこの弾性体１５のバネ力によって常時矢印Ｂの方向にのみ付勢されている。
【００１７】
前記ボビンチューブ１１の先端１１ａの外周位置には、断面凸型をなす蓋体１６が回転自在に設けられ、この先端１１ａが蓋体１６の支持凹部２２内に位置して支持され、その外周に設けられた第２Ｏリング１７はケース１の内壁１ａに摺接し、この蓋体１６の突部２０の外周のねじ部２１は、前記ケース１の端部1ｂに形成された開口２３の内周ねじ部２４に螺合している。
【００１８】
前記蓋体１６の端面には、図１及び図３で示されるように、１個又は複数の凹部３０又は穴（図示せず）が形成され、この凹部３０に治具（図示せず）を挿入して蓋体１６を回転させるように構成され、この蓋体１６は前記筒状ボビン４Ａの端面４Ｂに対して直接又はワッシャ等を介して当接している。尚、凹部３０等を用いなくても吸盤等で回転させることもできる。
【００１９】
前述の構成において、例えば、軸体５のプローブ５ａを被検出部材１３に接続した状態で、蓋体１６を回転させると、蓋体１６自体が矢印Ａの方向に沿って移動することができ、この蓋体１６と当接する筒状ボビン４Ａは矢印Ｂ方向と反対の方向に移動し、前述の各出力電圧Ｖａ，Ｖｂが０Ｖとなる電気的中立位置に到達した状態で蓋体１６の回転を停止する。
【００２０】
前述の状態では、前記蓋体１６のねじ部２１の外周に樹脂等の柔軟材４０が添着され、この柔軟材４０がねじ部２１と内周ねじ部２４との間に柔軟材４０が位置しているため、この柔軟材４０がブレーキの役目をなし、蓋体１６の回転を止めた位置で、蓋体１６は保持され、電気的中立位置に筒状ボビン４Ａが保たれる。
【００２１】
従って、本発明による差動トランス構造によれば、筒状ボビン４Ａの軸方向位置を自在に調整することができ、ユーザー側で接続する被検出部材１３の種類や長さに拘わらず、電気的中立位置の調整を自在に行うことができる。尚、前記ボビンチューブ１１に軸方向に沿って植設されたピン５０は、筒状ボビン４Ａのフランジ４Ａａの凹部４Ａｂに係合していることにより、筒状ボビン４Ａは軸方向移動のみ許容され、回転は止められている。
【図面の簡単な説明】
【００２２】
【図１】本発明による差動トランス構造を示す断面図である。
【図２】図１の蓋体を示す側面図である。
【図３】図２の右側面図である。
【図４】図１及び図６のトランスコイルの結線図である。
【図５】図１及び図６のトランスコイルの出力電圧を示す特性図である。
【図６】従来構成を示す断面図である。
【符号の説明】
【００２３】
１    ケース
１ａ    内壁
１ｂ    端部
４    トランスコイル
Ｐ    一次コイル
Ｓ１，Ｓ２    二次コイル
５    軸体
５ａ    プローブ
１０    空洞
１１    ボビンチューブ
１１ａ    先端
１２    第１Ｏリング
１３    被検出部材
１４    段部
１５    弾性体
１６    蓋体
１７    第２Ｏリング
２０    突部
２１    ねじ部
２２    支持凹部
２３    開口
２４    内周ねじ部
３０    凹部
４０    柔軟材
５０    ピン
【図１】
2010027960.tif 000003
【図２】
2010027960.tif 000004
【図３】
2010027960.tif 000005
【図４】
2010027960.tif 000006
【図５】
2010027960.tif 000007
【図６】
2010027960.tif 000008